(57)【要約】      （修正有）【課題】省エネ運転に設定することができる空気調和機の制御装置を提供する。【解決手段】設定温度を設定する遠隔制御装置３１と、所定の操作で温度設定範囲の上限／下限値を設定する上限／下限設定手段３２と、省エネ表示する表示装置３３とを備えたことにより、人の手による無駄な温度設定操作をされることなく、効率的に省エネ運転ができる。【選択図】図１
2008075980.tif 000002
【特許請求の範囲】
【請求項１】
設定温度を設定する遠隔制御装置と、所定の操作で温度設定範囲の上限値を設定する上限設定手段とを備えたことを特徴とする空気調和機の遠隔制御装置。
【請求項２】
設定温度を設定する遠隔制御装置と、所定の操作で温度設定範囲の下限値を設定する下限設定手段とを備えたことを特徴とする空気調和機の遠隔制御装置。
【請求項３】
設定温度を設定する遠隔制御装置と、所定の操作で温度設定範囲の上限値と下限値を設定する上限・下限設定手段と、遠隔制御装置に省エネ表示する表示装置とを備えたことを特徴とする空気調和機の遠隔制御装置。
【発明の詳細な説明】
【技術分野】
【０００１】
本発明は空気調和機の制御装置に関するものである。
【背景技術】
【０００２】
従来の空気調和機の制御装置としては、特許文献１に示されているものがある。
【０００３】
以下、図面を参照にしながら上記従来の空気調和機の制御装置を説明する。
図４は、従来の空気調和機の構成を示す制御ブロック図である。図４において、１は制御部マイコンであり、本体操作部またはリモコン等の設定入力手段２と、室内温度を検出する室温センサ３と、セーブ運転スイッチ４から信号が取り込まれ、これらの信号により圧縮機５の運転条件を設定し、圧縮機５の運転を制御するようになっている。
【０００４】
本体操作部またはリモコン等の設定入力手段２により、室内の設定温度、冷房運転または暖房運転とその運転モード、室内側送風機の風量モード、タイマモード等の設定入力条件が入力されメモリ６に記憶され、室温センサ３により検出された室内温度とメモリ６に記憶された設定温度とを比較手段７により比較し、圧縮機５の運転条件を設定する運転条件設定手段８により圧縮機５の運転を制御している
以上のように構成された空気調和機の制御装置について、以下その動作を説明する。
【０００５】
図５は、従来の空気調和機の制御装置のセーブ運転スイッチ機能の詳細を示すフローチャートである。
【０００６】
図５において、空調されている部屋で不在になる時に、セーブ運転スイッチ４をセットすると、「冷房・ドライ運転」で運転されている時には予め設定された設定温度から所定の温度巾Ｔ度高い温度を設定温度とし、暖房運転時には設定温度から所定の温度巾Ｔ度低い温度を設定温度として圧縮機５を運転することにより、空気調和機の冷・暖房能力を低く抑え圧縮機５の消費電力を低減し、省エネルギー効果のあるセーブ運転を行うようにしている。
【０００７】
図６は、従来の空気調和機の制御装置の詳細を示すフローチャートである。運転開始後、設定入力手段２により設定条件がマイコン１に読み込まれメモリ６に記憶される（２１）。この間設定条件の変更がある場合（２２）は、設定入力手段２により設定条件の変更を行い、室内を適正な空調環境に設定する（２３）。
【０００８】
この状態で室内を空ける場合にセーブ運転スイッチ４をセットすると（２４）、「現在セーブ運転中」であるかを判断し（２７）、「セーブ運転中」でない場合には、図５に示す設定温度の変更を行い「セーブ運転」を開始し（２８）、「セーブ運転中」の場合にはセーブ運転を終了させる（２９）。
【０００９】
セーブ運転スイッチ４がセットされていない時は（２４）、「現在セーブ運転中」であるかを判断し（２５）、セーブ運転中の場合はそのまま継続し、セーブ運転中でない場合には通常の運転を継続する（２６）。
【００１０】
以上のように、セーブ運転スイッチをセットすることにより、室内の設定温度を変え、不在の場合に室内の冷え過ぎまたは暖め過ぎを避け、空気調和機の消費電力を削減して省エネルギー効果を上げるとともに、部屋に戻った時に違和感のない空調環境を保持することができる。
【特許文献１】特開平６−２９４５３５号公報
【発明の開示】
【発明が解決しようとする課題】
【００１１】
しかしながら、上記従来の構成は、セーブ運転スイッチ４をセットすることにより室温センサ３で検出された室内温度とメモリ６に記憶された設定温度とを比較し、圧縮機５の運転を制御しているため、予めメモリ６に設定温度が暖房時は高めに、冷房時には低めに設定されれば、省エネ運転にならないため無駄な電力を消費するという欠点があった。
【００１２】
本発明は従来の課題を解決するもので、予め遠隔制御装置の設定温度の上限，下限を決定し、暖房時には高めに、冷房時には低めに設定できないようにし又、この設定制御中は省エネ表示することができる空気調和機の制御装置を提供することを目的とする。
【課題を解決するための手段】
【００１３】
本発明の請求項１に記載の発明は、設定温度を設定する遠隔制御装置と、前記遠隔制御装置の所定の操作で温度設定範囲の上限値を設定する上限設定手段とからなり、利用者が暖房時には設定温度を高めに設定できないようにし、暖房の省エネ運転をするという作用を有する。
【００１４】
請求項２に記載の発明は、設定温度を設定する遠隔制御装置と、前記遠隔制御装置の所定の操作で温度設定範囲の下限値を設定する下限設定手段とからなり、利用者が冷房時には設定温度を低めに設定できないようにし、冷房の省エネ運転をするという作用を有する。
【００１５】
請求項３に記載の発明は、設定温度を設定する遠隔制御装置と、請求項１，２記載の温度設定範囲の上限値と下限値を設定する上限・下限設定手段と、前記遠隔制御装置に省エネ表示する表示装置からなり、冷房，暖房運転の省エネ運転をし又、この設定制御中は省エネ表示することによって利用者が省エネ運転中であることを確認することが可能となる。
【発明の効果】
【００１６】
以上説明したように請求項１に記載の発明は、設定温度を設定する遠隔制御装置と、前記遠隔制御装置の所定の操作で温度設定範囲の上限値を設定する上限設定手段から構成され、利用者が暖房時には設定温度を高めに設定できないようにし、暖房（自動運転含む）の省エネ運転ができる。
【００１７】
また、請求項２に記載の発明は、設定温度を設定する遠隔制御装置と、前記遠隔制御装置の所定の操作で温度設定範囲の下限値を設定する下限設定手段とからなり、利用者が冷房時には設定温度を低めに設定できないようにし、冷房・除湿（自動運転含む）の省エネ運転ができる。
【００１８】
また、請求項３に記載の発明は、設定温度を設定する遠隔制御装置と、前記遠隔制御装置の所定の操作で温度設定範囲の上限値と下限値を設定する上限・下限設定手段と、前記遠隔制御装置に省エネ表示する表示装置とからなり、利用者が冷房時には設定温度を低めに、暖房時には設定温度を高めに設定できないようにし、冷房，暖房運転の省エネ運転をし又、この設定制御中は省エネ運転中であることを表示することができる。
【発明を実施するための最良の形態】
【００１９】
（実施の形態１）
図１は、本発明の実施の形態１による空気調和機の制御装置のブロック図である。図１
において、１１は設定温度を設定する遠隔制御装置であり、１２は遠隔制御装置１１で所定の操作で温度設定範囲の上限値設定する上限設定手段を設けたものである。
【００２０】
本実施の形態の空気調和機の制御装置は設定温度を設定する遠隔制御装置１１と、遠隔制御装置１１で所定の操作で温度設定範囲の上限値を設定する上限設定手段１２から構成されているので、利用者が暖房時には設定温度を高めに設定できないようにし、暖房の省エネ運転ができる。
【００２１】
（実施の形態２）
図２は、本発明の実施の形態２による空気調和機の制御装置のブロック図である。図２において、２１は設定温度を設定する遠隔制御装置であり、２２は遠隔制御装置２１で所定の操作で温度設定範囲の下限値設定する下限設定手段を設けたものである。
【００２２】
以上のように本実施の形態の空気調和機の制御装置は設定温度を設定する遠隔制御装置２１と、前記遠隔制御装置２１で所定の操作で温度設定範囲の下限値を設定する下限設定手段２２とから構成されているので、利用者が冷房時には設定温度を低めに設定できないようにし、冷房の省エネ運転ができる。
【００２３】
（実施の形態３）
図３は、本発明の実施の形態３による空気調和機の制御装置のブロック図である。３１は設定温度を設定する遠隔制御装置であり、３２は遠隔制御装置３１で所定の操作で温度設定範囲の上限値又は、下限値設定する上限・下限設定手段である。３３は遠隔制御装置３１に省エネ表示する表示装置を設けたものである。
【００２４】
本実施の形態の空気調和機の制御装置は、設定温度を設定する遠隔制御装置３１と、前記遠隔制御装置３１で所定の操作で温度設定範囲の上限値，下限値を設定する上限・下限設定手段３２と、遠隔制御装置３１に省エネ表示する表示装置３３とから構成されているので、利用者が冷房時には設定温度を低めに、暖房時には設定温度を高めに設定できないようにし、冷房，暖房運転の省エネ運転ができ又、この設定制御中は省エネ表示することもできる。
【産業上の利用可能性】
【００２５】
以上のように、本発明にかかる空気調和機は、遠隔制御装置を用いて制御するので、複数の室内機が接続されているシステムに利用するため、複数台数、もしくは個別の空気調和機の省エネ運転をコントロールすることが可能となる。
【図面の簡単な説明】
【００２６】
【図１】本発明の実施の形態１における空気調和機の構成ブロック図
【図２】本発明の実施の形態２における空気調和機の構成ブロック図
【図３】本発明の実施の形態３における空気調和機の構成ブロック図
【図４】従来の空気調和機の制御装置のブロック図
【図５】従来の空気調和機の制御装置のフローチャート
【図６】従来の空気調和機の制御装置の動作を示すフローチャート
【符号の説明】
【００２７】
１１，２１，３１  遠隔制御装置
１２  上限設定手段
２２  下限設定手段
３２  上限／下限設定手段
３３  表示装置
【図１】
2008075980.tif 000003
【図２】
2008075980.tif 000004
【図３】
2008075980.tif 000005
【図４】
2008075980.tif 000006
【図５】
2008075980.tif 000007
【図６】
2008075980.tif 000008